(57)【要約】      （修正有）【課題】電子機器において、映像の向きが変更表示された場合に覚えやすい、音声出力に関するユーザの違和感を低減する。【解決手段】電子機器は、自機器の向きを検出する検出部を備える。また、前記検出された向きに合わせ、映像を表示する映像表示部を備える。また、前記映像表示部の４つの角部近傍にそれぞれ設けられる４つのスピーカを備える。また、前記映像のマルチチャンネルフラグを検出するフラグ検出部を備える。また、前記マルチチャンネルフラグが検出された場合に、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力する音声出力部を備える。【選択図】図１
2013251763.tif 000002
【特許請求の範囲】
【請求項１】
自機器の向きを検出する検出部と、
前記検出された向きに合わせ、映像を表示する映像表示部と、
前記映像表示部の４つの角部近傍にそれぞれ設けられる４つのスピーカと、
前記映像のマルチチャンネルフラグを検出するフラグ検出部と、
前記マルチチャンネルフラグが検出された場合に、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力する音声出力部を備える電子機器。
【請求項２】
前記マルチチャンネルフラグが検出されない場合は、音声出力部は、ユーザから見て、前記表示された映像の左側に位置する２つのスピーカはステレオＬ音声を出力し、右側に位置する２つのスピーカはステレオＲ音声を出力する請求項１に記載の電子機器。
【請求項３】
前記向きの検出に重力を利用するセンサを用いる請求項１または２に記載の電子機器。
【請求項４】
前記向きを検出する加速度センサを備える請求項１乃至請求項３のいずれか１に記載の電子機器。
【請求項５】
前記検出部で自機器の向きが検出された場合に、その向きが検出された状態が所定時間経過した場合は、前記映像表示部に前記検出された向きに合わせた映像を表示する請求項１乃至請求項４のいずれか１に記載の電子機器。
【請求項６】
前記検出部は、前記自機器または映像表示部のいずれかの位置を検出する請求項１乃至請求項５のいずれか１に記載の電子機器。
【請求項７】
自機器の向きを検出するステップと、
前記検出された向きに合わせ、映像を表示するステップと、
前記映像のマルチチャンネルフラグを検出するステップと、
前記マルチチャンネルフラグが検出された場合に、映像表示部の４つの角部近傍にそれぞれ設けられる４つのスピーカを用い、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力するステップを備える電子機器の制御方法。
【請求項８】
自機器の向きを検出するステップと、
前記検出された向きに合わせ、映像を表示するステップと、
前記映像のマルチチャンネルフラグを検出するステップと、
前記マルチチャンネルフラグが検出された場合に、映像表示部の４つの角部近傍にそれぞれ設けられる４つのスピーカを用い、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、タブレットＰＣやスマートフォン等の携帯可能な電子機器が普及している。
【０００３】
これらの電子機器は、ユーザにより携帯されることがあり、使用環境において、上下左右等の向きが変更されることがある。
【０００４】
そして、これらの電子機器の中には、例えば、電子機器の向きが変更すると、この向きの変更に応じて、表示される映像の向きを、例えば、縦や横に変更して表示することが可能なものがある。
【０００５】
しかし、映像の向きが変更表示されても、スピーカの位置は変更されず、音声出力は変更されないため、音声にユーザが違和感を覚える場合があった。
【０００６】
このため、電子機器において、映像の向きが変更表示された場合に覚えやすい、音声出力に関するユーザの違和感を低減することが課題になっていた。
【先行技術文献】
【特許文献】
【０００７】
【特許文献１】特開２００３−１８９３８９号公報
【特許文献２】特開２００１−７８１１７号公報
【発明の概要】
【発明が解決しようとする課題】
【０００８】
電子機器において、映像の向きが変更表示された場合に覚えやすい、音声出力に関するユーザの違和感を低減することが課題になっていた。
【課題を解決するための手段】
【０００９】
実施形態の電子機器は、自機器の向きを検出する検出部を備える。
【００１０】
また、前記検出された向きに合わせ、映像を表示する映像表示部を備える。
【００１１】
また、前記映像表示部の４つの角部近傍にそれぞれ設けられる４つのスピーカを備える。
【００１２】
また、前記映像のマルチチャンネルフラグを検出するフラグ検出部を備える。
【００１３】
また、前記マルチチャンネルフラグが検出された場合に、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力する音声出力部を備える。
【図面の簡単な説明】
【００１４】
【図１】実施形態に係わる電子機器の動作を示す外観図。
【図２】実施形態に係わる電子機器の動作を示す外観図。
【図３】実施形態に係わる電子機器の構成を示すブロック図。
【図４】実施形態に係わる電子機器の動作を説明するフローチャート。
【発明を実施するための形態】
【００１５】
以下、図面を参照し、実施の形態を説明する。
【００１６】
図１は、実施形態に係わる電子機器の動作を示す外観図である。
【００１７】
この実施形態に係る電子機器（タブレットＰＣ）１０は、例えば、加速度センサ３０等の検出部を備え、電子機器（タブレットＰＣ）１０の向きを検出する。
【００１８】
なお、ここでは、電子機器１０としてタブレットＰＣを用いて説明を行うが、この実施形態は、電子機器１０は、タブレットＰＣの他にスマートフォンや携帯電話、ＰＣ等の電子機器に適用することも可能である。
【００１９】
そして、例えば、加速度センサ３０で検出された電子機器（タブレットＰＣ）１０の、例えば、上下方向や左右方向の向きに合わせ、映像表示部１７に映像を表示する。
【００２０】
ここでは、例えば、加速度センサ３０で検出された上下方向の向きに合わせ、図１に示す映像（例えば、山の映像）が表示される。
【００２１】
また、この実施形態に係る電子機器（タブレットＰＣ）１０は、図１に示すように、映像表示部１７の４つの角部（第１角部１７ａ、第２角部１７ｂ、第３角部１７ｃ、第４角部１７ｄ）の近傍に、それぞれ、４つのスピーカ（第１スピーカ１８Ａ、第２スピーカ１８Ｂ、第３スピーカ１８Ｃ、第４スピーカ１８Ｄ）が設けられる。
【００２２】
また、この実施形態に係る電子機器（タブレットＰＣ）１０は、上記映像（例えば、山の映像）のマルチチャンネルフラグが検出処理される。
【００２３】
このマルチチャンネルフラグ検出処理は、例えば、ＣＰＵ１０１に指示され、電子機器１０内部で行なわれる。
【００２４】
そして、上記映像（例えば、山の映像）の音声信号からマルチチャンネルフラグが検出された場合に、図１に示すように、ユーザから見て、前記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＨＲ）音声を出力し、右下側に位置するスピーカは通常Ｒ（Ｒ）音声を出力する。
【００２５】
また、マルチチャンネルフラグが検出されない場合は、ユーザから見て、上記表示された映像（例えば、山の映像）の左側に位置する２つのスピーカはステレオＬ音声を出力し、右側に位置する２つのスピーカはステレオＲ音声を出力する。
【００２６】
ここで、加速度センサの説明をする。
【００２７】
加速度センサは、加速度を計測するセンサである。
【００２８】
加速度センサには、例えば、機械式、光学式、半導体式等の方式がある。加速度センサは、上記どの方式においても加速による錘（マス、質量）の位置変化を捉えることが基本原理である。
【００２９】
また、加速度センサには、例えば、検出軸数によって１軸、２軸、３軸のセンサがある。例えば、携帯電話等に使用される３軸加速度センサは、地球の重力加速度を計測することで携帯電話の傾きを検出し、画面が正しい向きで表示されるようにする。
【００３０】
この実施形態においても、同様に、地球の重力加速度を計測、すなわち、地球の重力加速度を利用し、電子機器１０の傾きを検出し、映像表示部１７に表示される映像（例えば、山の映像）が正しい向きで表示されるようにする。
【００３１】
また、ここで、マルチチャンネルフラグの説明をする。
【００３２】
ここでは、マルチチャンネルとは、記録再生・放送方法のひとつである。1つの記録・放送で複数のチャンネルを再生・受信できるシステムである。例えば、音声の場合は、サラウンドがそのひとつである。
【００３３】
マルチチャンネルフラグは、このマルチチャンネルを示すフラグである。
【００３４】
マルチチャンネルフラグは、例えば、映画コンテンツや音楽番組、バラエティー番組等の音声信号として送信され、このフラグを検出することで、マルチチャンネルを検出することができる。
【００３５】
また、サラウンド（Ｓｕｒｒｏｕｎｄ）は、音声の記録再生方法のひとつである。モノラル（１．０ｃｈ）、ステレオ（２．０ｃｈ）音声よりも多くのチャンネル（２．１ｃｈ以上）を有する。
【００３６】
一般的に、サラウンド、或いはサラウンド音声と呼ばれる。
【００３７】
また、現在では、サラウンドのチャンネル数は通常「５．１ｃｈ」、「７．１ｃｈ」等と記述される。
【００３８】
通常のスピーカは１ｃｈで１とカウントし、超低音域再生専用のスピーカー（サブウーファー）は、通常のスピーカの再生帯域と比較して狭帯域であるという意味で、１ｃｈで０．１とカウントする。
【００３９】
図１（ａ）は、電子機器１０が、例えば、ユーザにより、予め想定されたデフォルトの向きに向けられ、このデフォルトの向きの傾きを加速度センサ３０で検出し、映像表示部１７に表示される映像（例えば、山の映像）が正しい向きで表示される例を示している。
【００４０】
ここでは、例えば、素直に「ＡＢＣ社」と読める向き（横向き）が、電子機器１０のデフォルトの向きである。図１（ａ）では、この電子機器１０のデフォルトの向きに合わせて、映像表示部１７に映像（例えば、山の映像）が表示されている。
【００４１】
そして、図１（ａ）においては、図に示すように、上記マルチチャンネルフラグが検出された場合に、ユーザから見て、映像表示部１７に表示された映像（例えば、山の映像）の左上側に位置するスピーカ（第１スピーカ１８Ａ）はサラウンドＬ（ＳＬ）音声を出力し、左下側に位置するスピーカ（第２スピーカ１８Ｂ）は通常Ｌ（Ｌ）音声を出力する。
【００４２】
また、右上側に位置するスピーカ（第３スピーカ１８Ｃ）はサラウンドＲ（ＳＲ）音声を出力し、右下側に位置するスピーカ（第４スピーカ１８Ｄ）は通常Ｒ（Ｒ）音声を出力する。
【００４３】
ここで、通常とは、サラウンドではないことを示す。
【００４４】
また、ステレオＬ音声は、ステレオ音声のＬ（左）音声である。また、ステレオＲ音声は、ステレオ音声のＲ（右）音声である。
【００４５】
図１（ｂ）は、電子機器１０が、例えば、ユーザにより、上記デフォルトの向きから右方向に回転した向きに向けられ、この向きの傾きを加速度センサ３０で検出し、映像表示部１７に表示される映像（例えば、山の映像）が表示される例を示している。
【００４６】
ここでは、上記右方向に回転した向き（縦向き）が、電子機器１０の向きである。図１（ｂ）では、この電子機器１０の向きに合わせて、映像表示部１７に映像（例えば、山の映像）が表示されている。
【００４７】
そして、図１（ｂ）においては、図に示すように、上記マルチチャンネルフラグが検出された場合に、ユーザから見て、映像表示部１７に表示された映像（例えば、山の映像）の左上側に位置するスピーカ（第２スピーカ１８Ｂ）はサラウンドＬ（ＳＬ）音声を出力し、左下側に位置するスピーカ（第４スピーカ１８Ｄ）は通常Ｌ（Ｌ）音声を出力する。
【００４８】
また、右上側に位置するスピーカ（第１スピーカ１８Ａ）はサラウンドＲ（ＳＲ）音声を出力し、右下側に位置するスピーカ（第３スピーカ１８Ｃ）は通常Ｒ（Ｒ）音声を出力する。
【００４９】
図２（ａ）は、電子機器１０が、例えば、ユーザにより、上記図１（ｂ）の向きからさらに右方向に回転した向きに向けられ、この向きの傾きを加速度センサ３０で検出し、映像表示部１７に表示される映像（例えば、山の映像）が表示される例を示している。
【００５０】
ここでは、上記図１（ｂ）の向きからさらに右方向に回転した向き（横向き）が、電子機器１０の向きである。図２（ａ）では、この電子機器１０の向きに合わせて、映像表示部１７に映像（例えば、山の映像）が表示されている。
【００５１】
そして、図２（ａ）においては、図に示すように、上記マルチチャンネルフラグが検出された場合に、ユーザから見て、映像表示部１７に表示された映像（例えば、山の映像）の左上側に位置するスピーカ（第４スピーカ１８Ｄ）はサラウンドＬ（ＳＬ）音声を出力し、左下側に位置するスピーカ（第３スピーカ１８Ｃ）は通常Ｌ（Ｌ）音声を出力する。
【００５２】
また、右上側に位置するスピーカ（第２スピーカ１８Ｂ）はサラウンドＲ（ＳＲ）音声を出力し、右下側に位置するスピーカ（第１スピーカ１８Ａ）は通常Ｒ（Ｒ）音声を出力する。
【００５３】
図２（ｂ）は、電子機器１０が、例えば、ユーザにより、上記図２（ａ）の向きからさらに右方向に回転した向きに向けられ、この向きの傾きを加速度センサ３０で検出し、映像表示部１７に表示される映像（例えば、山の映像）が表示される例を示している。
【００５４】
ここでは、上記図２（ａ）の向きからさらに右方向に回転した向き（縦向き）が、電子機器１０の向きである。図２（ｂ）では、この電子機器１０の向きに合わせて、映像表示部１７に映像（例えば、山の映像）が表示されている。
【００５５】
そして、図２（ｂ）においては、図に示すように、上記マルチチャンネルフラグが検出された場合に、ユーザから見て、映像表示部１７に表示された映像（例えば、山の映像）の左上側に位置するスピーカ（第３スピーカ１８Ｃ）はサラウンドＬ（ＳＬ）音声を出力し、左下側に位置するスピーカ（第１スピーカ１８Ａ）は通常Ｌ（Ｌ）音声を出力する。
【００５６】
また、右上側に位置するスピーカ（第４スピーカ１８Ｄ）はサラウンドＲ（ＳＲ）音声を出力し、右下側に位置するスピーカ（第２スピーカ１８Ｂ）は通常Ｒ（Ｒ）音声を出力する。
【００５７】
すなわち、この実施形態においては、再生を行う映像コンテンツからマルチチャンネルフラグが検出された場合に、４つのスピーカをマルチチャンネル化（例えば、２チャンネルから４チャンネルに）する。
【００５８】
また、一例として、５ｃｈ信号を想定した場合に、４つのスピーカで再生する効果的な手法として、映像表示部１７上部の２つのスピーカ（左右）それぞれにサラウンド信号（ＬＳ／Ｒｓ）を主体とした信号を、また映像表示部１７下部の２つのスピーカ（左右）それぞれにはセンターｃｈ信号を加算した信号を再生できるようにしても良い。
【００５９】
これにより、映像表示部１７下部の２つのスピーカでセンター定位を実現しつつ、映像表示部１７上部の２つのスピーカで、サラウンドをより効果的に提供することが可能になる。
【００６０】
図３は、実施形態に係わる電子機器の構成を示すブロック図である。
【００６１】
これらの構成の少なくとも一部は、例えば、電子機器（スレート）１０内に電子部品として収容される。
【００６２】
この電子機器（スレート）１０は、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備えている。
【００６３】
また、ＣＰＵ１０１は、電子機器（スレート）１０内の各部の動作を制御するプロセッサである。
【００６４】
ＣＰＵ１０１は、ＢＩＯＳ−ＲＯＭ１０７に格納されたＢＩＯＳを実行する。ＢＩＯＳは、ハードウェア制御のためのプログラムである。
【００６５】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００６６】
ＧＰＵ１０５は、電子機器（スレート）１０のディスプレイモニタとして使用される映像表示部（ＬＣＤ）１７を制御する表示コントローラである。
【００６７】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【００６８】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００６９】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００７０】
さらに、サウスブリッジ１０４は、サウンドコントローラ１０６との通信を実行する機能も有している。
【００７１】
サウンドコントローラ１０６は音源デバイスであり、再生対象のオーディオデータをスピーカ１８Ａ、１８Ｂ、１８Ｃ、１８ＤまたはＨＤＭＩ制御回路３に出力する。
【００７２】
ここでは、スピーカは少なくとも４つ構成される（１８Ａ、１８Ｂ、１８Ｃ、１８Ｄ）。
【００７３】
ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００７４】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００７５】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（スレート）１０を電源オン／電源オフする機能を有している。
【００７６】
この実施の形態における表示制御は、例えばＣＰＵ１０１が主メモリ１０３やＨＤＤ１０９等に記録されたプログラムを実行させることにより行われる。
【００７７】
また、この実施の形態においては、電子機器１０は、筐体内に上記説明した加速度センサ３０を備えている。
【００７８】
図４は、実施形態に係わる電子機器の動作を説明するフローチャートである。
【００７９】
ステップＳ１００は、ここでの開始ステップである。続いて、ステップＳ１０１に進む。
【００８０】
ステップＳ１０１は、電子機器１０の電源をＯＮにするステップである。続いて、ステップＳ１０２に進む。
【００８１】
ステップＳ１０２は、例えば、上記デフォルトの表示方向で、映像表示装置１７に映像（例えば、山の映像）を表示出力するステップである。続いて、ステップＳ１０３に進む。
【００８２】
ステップＳ１０３は、例えば、加速度センサ３０で電子機器１０または映像表示部１７の向きを検出するステップである。加速度センサ３０は、例えば、重力に対する上下方向の向きを検出する。続いて、ステップＳ１０４に進む。
【００８３】
ステップＳ１０４は、加速度センサ３０で電子機器１０または映像表示部１７の向きは検出されたかを判別するステップである。電子機器１０または映像表示部１７の向きは検出されたと判別される場合は、ステップＳ１０５に進む（Ｙｅｓ）。電子機器１０または映像表示部１７の向きは検出されないと判別される場合は、ここでの処理を繰り返す（Ｎｏ）。
【００８４】
ステップＳ１０５は、加速度センサ３０で電子機器１０または映像表示部１７の向きは変更されたかを判別するステップである。電子機器１０または映像表示部１７の向きは変更されたと判別される場合は、ステップＳ１０６に進む（Ｙｅｓ）。電子機器１０または映像表示部１７の向きは変更されないと判別される場合は、ここでの処理を繰り返す（Ｎｏ）。
【００８５】
ステップＳ１０６は、上記電子機器１０または映像表示部１７の向きが変更された状態が継続されたまま、所定時間、例えば、０．５秒程度経過したかを判別するステップである。電子機器１０または映像表示部１７の向きが変更された状態が継続されたまま、所定時間、例えば、０．５秒程度経過したと判別される場合は、ステップＳ１０７に進む（Ｙｅｓ）。電子機器１０または映像表示部１７の向きが変更された状態が、所定時間、例えば、０．５秒程度、継続されないと判別される場合は、ここでの処理を繰り返す（Ｎｏ）。
【００８６】
ステップＳ１０７は、例えば、上下方向等の検出された向きに合わせ、映像表示部１７に映像（例えば、山の映像）を表示出力するステップである。続いて、ステップＳ１０８に進む。
【００８７】
ステップＳ１０８は、例えば、上記映像（例えば、山の映像）の音声信号からマルチチャンネルフラグの検出処理を実行し、マルチチャンネルフラグが検出されたかを判別するステップである。マルチチャンネルフラグが検出されたと判別される場合は、ステップＳ１０９に進む（Ｙｅｓ）。マルチチャンネルフラグが検出されないと判別される場合は、ステップＳ１１０に進む（Ｎｏ）。
【００８８】
ステップＳ１０９は、例えば、上記図１（ａ）、図１（ｂ）および図２（ａ）、図２（ｂ）に示すように、映像表示部１７に表示出力される映像の、ユーザから見て、左上側に位置するスピーカはサラウンドＬ音声出力（ＳＬ）、左下側に位置するスピーカは通常Ｌ音声出力（Ｌ）、右上側に位置するスピーカはサラウンドＲ音声出力（ＳＲ）、右下側に位置するスピーカは通常Ｒ音声出力（Ｒ）するステップである。続いて、ステップＳ１０３に戻り、上記処理を繰り返す。
【００８９】
ステップＳ１１０は、特に図示しないが、上記マルチチャンネルフラグが検出されない場合は、音声出力部は、ユーザから見て、前記表示された映像の左側に位置する２つのスピーカはステレオＬ音声を出力し、右側に位置する２つのスピーカはステレオＲ音声を出力するステップである。続いて、ステップＳ１０３に戻り、上記処理を繰り返す。
【００９０】
すなわち、この実施形態においては、映画コンテンツや音楽番組、バラエティー番組等からマルチチャンネルが検出された場合に、電子機器（タブレットＰＣ）１０は、図１および図２に示すように、ユーザから見て、映像表示部１７に表示された映像（例えば、山の映像）の左上側に位置するスピーカはサラウンドＬ（ＳＬ）音声を出力し、左下側に位置するスピーカは通常Ｌ（Ｌ）音声を出力する。
【００９１】
また、右上側に位置するスピーカはサラウンドＲ（ＳＲ）音声を出力し、右下側に位置するスピーカは通常Ｒ（Ｒ）音声を出力する。
【００９２】
すなわち、この実施に係る電子機器（タブレットＰＣ）１０は、例えば、手に持って使用できるタブレットＰＣ等の携帯型機器であり、上記のように、左右上下方向に回転させても、ユーザは、サラウンド音声を楽しむことが可能になる。
【００９３】
また、マルチチャンネルでの再生を可能とすることにより、コンテンツによってサラウンド感を楽しむことが可能になる。
【００９４】
すなわち、この実施に係る電子機器（タブレットＰＣ）１０は、自機器の向きを検出する検出部（加速度センサ３０）を備える。
【００９５】
また、上記検出された向きに合わせ、映像を表示する映像表示部を備える。
【００９６】
また、上記映像表示部の４つの角部近傍にそれぞれ設けられる４つのスピーカを備える。
【００９７】
また、上記映像のマルチチャンネルフラグを検出するフラグ検出部を備える。
【００９８】
また、上記マルチチャンネルフラグが検出された場合に、ユーザから見て、上記表示された映像の左上側に位置するスピーカはサラウンドＬ（ＳＬ）音声を出力し、左下側に位置するスピーカは通常Ｌ（Ｌ）音声を出力し、右上側に位置するスピーカはサラウンドＲ（ＳＲ）音声を出力し、右下側に位置するスピーカは通常Ｒ（Ｒ）音声を出力する音声出力部を備える。
【００９９】
また、上記マルチチャンネルフラグが検出されない場合は、上記音声出力部は、ユーザから見て、上記表示された映像の左側に位置する２つのスピーカはステレオＬ音声を出力し、右側に位置する２つのスピーカはステレオＲ音声を出力する。
【０１００】
また、上記向きの検出に重力を利用しても良い。
【０１０１】
また、上記向きを検出する加速度センサ３０を備える。
【０１０２】
また、上記検出部で自機器の向きが検出された場合に、その向きが検出された状態が所定時間経過した場合は、上記映像表示部に上記検出された向きに合わせた映像を表示する。
【０１０３】
また、上記検出部は、上記自機器または映像表示部のいずれかの位置を検出する。
【０１０４】
上記のように構成することによって、この実施の形態においては、電子機器において、映像の向きが変更表示された場合に覚えやすい、音声出力に関するユーザの違和感を低減することが可能になる。
【０１０５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１０６】
なお、上記実施形態は、記述そのものに限定されるものではなく、実施段階では、その趣旨を逸脱しない範囲で、構成要素を種々変形して具体化することが可能である。
【０１０７】
また、上記実施形態に開示されている複数の構成要素の適宜な組み合せにより種々の発明を形成できる。
【０１０８】
例えば、実施形態に示される全構成要素から幾つかの構成要素を削除してもよい。更に、異なる実施形態に亘る構成要素を適宜組み合せてもよい。
【符号の説明】
【０１０９】
１０…電子機器、１７…映像表示部（ＬＣＤ）、１７ａ…第１角部、１７ｂ…第２角部、１７ｃ…第３角部、１７ｄ…第４角部、１８Ａ…第１スピーカ、１８Ｂ…第２スピーカ、１８Ｃ…第３スピーカ、１８Ｄ…第４スピーカ、３０…加速度センサ。
【図１】
2013251763.tif 000003
【図２】
2013251763.tif 000004
【図３】
2013251763.tif 000005
【図４】
2013251763.tif 000006